(57)【要約】      （修正有）【課題】小さな振れで鳴り、軽やかな音の鳴る、風情を備えたのれんを提供する。【解決手段】のれんは、複数の鈴１を上部に配置し、その下部に前記鈴を鳴らすための懸下物２で構成する。加えて、鈴は、手振り鈴や、風鈴のように、打鈴機構を懸下した構造の鈴のほうが、概略水平方向の揺動で打鈴されるために、ちょっとしたのれんの揺動であっても、音が鳴りやすい。【選択図】図１
2014112136.tif 000002
【特許請求の範囲】
【請求項１】
複数の鈴を上部に配置し、その下部に前記鈴を鳴らすための懸下物で構成したことを特徴とするのれん
【請求項２】
請求項１に記載の懸下物が布状または紐状であることを特徴とする請求項１に記載ののれん
【請求項３】
請求項１に記載の鈴が鈴本体と打鈴機構を連結してなる鈴であることを特徴とした請求項１または２に記載ののれん
【請求項４】
懸下物が短冊形状であって風により揺動し、音がなることを特徴とした請求項１、２または３に記載にのれん
【請求項５】
懸下物が布形状であって透かし模様であることを特徴とした請求項１、２、３または４に記載ののれん
【発明の詳細な説明】
【技術分野】
【０００１】
本発明は、玄関の入り口や部屋と廊下などの区切りとして、利用されるのれんに係るものである。
【背景技術】
【０００２】
従来からあるのれんは、上端部を固定し、切れ目のある布や複数の縄などの屈曲可能な懸下物で構成され、住空間を分けるためのものである。高さは人が移動して通過する都合上、人の背丈より上の固定された位置から、懸下される。懸下物の下部終端部の高さの位置は、高いものでは、通常の大人の顔が通過する位置ぐらいに（懸下物の下部終端部が）位置し、低い場合は地上すれすれまで（懸下物の下部終端部が）位置するのれんもある。これは目線の位置との関連性によるものだと推測される。直接的には、のれんによって、外側と内側とを分けて、目線が内側全体に触れづらくしたものである。日本人の文化的嗜好とともに、結界的な意味合いや、お店の営業の有無を来客に知らせる用途しても、使用されている。お店のシンボルなどをあしらって、看板代わりとする利用形態もある。
【０００３】
木を数珠のようにして、懸下したのれんも見かけられる。木でできたのれんの場合には固い木でできているために、のれんの揺動によって、木同士がぶつかり合って、シャラシャラと音がなり、来訪者のおとずれを知らせる効果も併せ持つ。また、偶発的に、音が鳴るのれんとして、従来ののれんの左右いずれかの上部に風鈴をひとつ、たれ下げて利用したものが見受けられる。これは風鈴として、利用しつつ、偶発的にのれんが極度に揺動することで、音がなる。
【０００４】
特許文献１には繭で連なった繭のれんで、下部の端部に繭を止めるために鈴を使って、いるものである。のれんを人が、くぐったときに、のれんの揺動で、端部に配置した鈴により、音がなるとの推測で提案されたものであるが、現実には、鈴内部の転動体の仕組み上、縦方向の揺動がないと、鳴らないため、期待されているほどの音が発生せず、効果が薄い。
【先行技術文献】
【特許文献】
【０００５】
【特許文献１】公開実用新案公報  昭６４−５１６８８
【発明の概要】
【発明が解決しようとする課題】
【０００６】
小さな振れで鳴り、軽やかな音の鳴るのれんが求められていた。本発明は前記課題解決の提供を目的とする。
【課題を解決するための手段】
【０００７】
本発明に係るのれんは、複数の鈴を上部に配置し、その下部に前記鈴を鳴らすための懸下物で構成したことを特徴とするのれんとしたことで課題を解決した。複数の鈴を上部に配置し、その下部に布状や紐状の懸下物で構成したすることで風情のあるのれんとすることができる。  
【０００８】
鈴は転動体による鈴でもよいが、手振り鈴や、風鈴のように、打鈴機構を懸下した構造の鈴のほうが、概略水平方向の揺動で打鈴されるために、ちょっとしたのれんの揺動であっても、音が鳴りやすく、好ましい。
【０００９】
このとき、打鈴機構と鈴本体とを結ぶ機構は、糸で結ばれる機構や細い金属線であることが好ましいが、特に制約はなく、鈴の用途を果たせば問題はない。  
【００１０】
懸下物は鈴を鳴らすためのものであればよい。好ましくは、布状や紐状のもので構成し、のれんの主要部とすることで、屈曲自在に変形するために、人が通過しやすい。もちろん、棒状のものであってもいいが、固い感触と屈曲性のなさで、不要な所作を強いられるため、好ましくは屈曲性を有する懸下物がよい。
【００１１】
懸下物として、布状や紐状のものであれば、金属やセラミック、樹脂でもよいが、薄い紙や綿、絹、合成繊維などの繊維質で構成された肌触りよい、屈曲性のよいものが好ましい。あるいは、強度と風合いの兼ね合いから、紙と絹などを張り合わせたような、複合の素材であってもよい。ここでいう、布状とは、布のように薄くて、平面部が広いものをします。また、紐状とは、紐のように屈曲自在なものを示し、綱のような太さのものも含む。
【００１２】
布状の懸下物を短冊状にして、風鈴のように構成すると、人が通過しなくても、風が懸下物を揺動させ、音が出るようにすることができる。のれんでありながら、風鈴として、涼やかな音を楽しむことができる。特に複数の鈴が鳴ることで、音の深みが増した、心地よい、清涼感を得ることができる。  
【００１３】
特に夏などの季節だと、のれんを通過する際に、のれんを押してなる音の清涼感と、自然の風によって鳴る清涼感とで、体感温度が下がるのれんは有用である。結果として、省エネ効果まで期待できる。人によって、差異はあるが、気分を和ませる効果も期待できる。
【００１４】
加えて、懸下物が短冊状の絹であると比重が軽く構成できるので、効率的に打鈴機構に風力を伝えることができる。例えば、隙間などがある透かし模様で、涼やかさを演出しつつ、効率的に音をだせるのれんは、バリエーションが広がる。また、透かし模様がある場合には、水に濡れても、風通しがよいため、乾きやすいといった効果がある。
【００１５】
鈴本体は金属であることが好ましいが、陶器などのセラミックであってもよく、材質は問わない。金属であると高音域の振動が得やすいため、特に夏など涼しげな清涼感を得たい場合に適している。例えば、客商売のお店などの場合において、第一印象は極めて、重要であり、のれんの役割は極めて重要である。このような細やかな、音によるもてなしで、お店のイメージアップに貢献するものである。
【発明の効果】
【００１６】
本発明により、小さな振れで鳴り、軽やかな音の鳴るのれんの提供が可能となった。小さな、揺動で、人がのれんを通過したことを知らせてくれるため、便利である。
【００１７】
従来提示されていた下部に鈴を配置することに比べて、上部に鈴があると小さい揺動でも鳴りやすい。上部に鈴が配置されているために、耳に音が届きやすく、より効率がよい。同時に、鈴同士がぶつかったりする弊害がなくなる。
【００１８】
また、鈴が転動体のものではなく、打鈴機構を懸下した構造の鈴であると、音が懸下物の揺動によって、概略水平方向に力が働きやすく、音が出やすい。
加えて、転動体を利用した鈴と異なり、打鈴機構を取り替えるなど、調整しやすいので、鳴りやすさや音の音量調整がしやすい。
【００１９】
懸下物を短冊状にすると風により、懸下部が、揺動を受けやすくなる。いわゆる風鈴と同等に風によって、揺動効果を得ることができる。人の通過による揺動で音が鳴ることだけでなく、風で、自然に鳴るように工夫することで、出入りしていない場面でも、涼やかな清涼感を得ることができる。結果として、夏などの場合には、体感温度を下げる。また、このような、風情を楽しむといったことで、のれんの懸下物の装飾以外に音によってのれんのバリエーションを広げることができる。常時風が吹いているような場所においては、音による、お店の客寄せとしても利用できる。
【００２０】
複数の鈴や、懸下物があることで、視覚、聴覚を通じて立体的な表現が醸し出される。例えば、草木を通る風のように、風の移動や気配などを本発明ののれんから、感じ取ることができる。
【００２１】
透かし模様の入った布状の絹を懸下物とすると風情のあるのれんでありと同時に涼やかさを演出すると同時に水に濡れても乾きやすいので都合がよい。  
【００２２】
複数の鈴各々に音階を変えることにより、各々の鈴を懸下物を通じて、手などで揺らし、楽器的な楽しみを備えるようなこともできる。
【発明を実施するための形態】
【００２３】
実施形態は説明図を利用して説明する。
【実施例】
【００２４】
図１は本発明ののれんの実施例を示す説明図である。図２は本発明鈴部の内部構造を説明するためののれんの一部分を示す。
【００２５】
この形態は、図１で示されるように、複数ののれん上部に位置する鈴（１）と懸下物（２）とからなるのれんである。鈴（１）の内部構造は図２に示されるように鈴本体（１−１）に連結された打鈴機構（１−２）からなる。この形態では、懸下物（２）は、その鈴（１）の打鈴機構（１−２）下部に連結懸下されている。懸下物（２）は短冊状になっており、風の影響で、懸下物（２）が揺動し、鈴（１）が音を発する。
【００２６】
図１では、上部は固定ベース部（３）で固定された形態を示しているが、鈴本体（１−１）自体も固定されていてもよい。もちろん固定ベース部（３）がなくても、のれんとして、機能していれば、よく、店の入り口などに直接のれんが取り付けられていてもよい。鈴（１）は転動体式の鈴であってもよいが、図１,２のような、打鈴機構を懸下した構造の鈴のほうが好ましい。鈴本体（１−１）は金属によるものが、好ましいが、特に材質に特定はない。打鈴機構（１−２）の打鈴本体（１−１）との接触部分も同様に金属が好ましいが、材質に特定はない。
【００２７】
懸下物（２）が紐状であってもよいし、布状であってもよい。懸下物（２）の材質も特定はないが、透かし模様の布であって、特に絹を用いたものが好ましい。短冊のようにすると風を受けて、音が出る構造において、懸下物（２）の長さを個々に変えたり、色あいを替えたりすることは、自由である。
【図面の簡単な説明】
【００２８】
【図１】本発明の実施形態を示す説明図である。
【図２】本発明の実施形態を示す断面図を含む説明図である。
【符号の説明】
【００２９】
１          鈴１‐１      鈴本体１−２      打鈴機構２          懸下物３          固定ベース部                                   
【図１】
2014112136.tif 000003
【図２】
2014112136.tif 000004